(57)【要約】【課題】２種の潜像画像を得られるようにし、よって、偽造及び改竄を困難にし、高い偽造防止効果を作製することにある。【解決手段】薄膜平板状の支持基材４と、この支持基材の何れか一方の同一面内で、かつ所定方向に沿って交互に配列された光軸の異なる第一位相差層２及び第二位相差層３と、これら第一位相差層２及び第二位相差層３の上面に形成された接着層６とを備え、個人認証用元データの２値化処理したネガ画像を第一画像とし、ポジ画像を第二画像とし、第一位相差層２により第一画像を、第二位相差層３により第二画像を熱転写で形成するように構成した転写箔１である。【選択図】図２
2014063039.tif 000002
【特許請求の範囲】
【請求項１】
薄膜平板状の支持基材と、
この支持基材の何れか一方の同一面内で、かつ所定方向に沿って交互に配列された光軸の異なる第一位相差層及び第二位相差層と、
これら第一位相差層及び第二位相差層の上面に形成された接着層とを備え、
個人認証用元データの２値化処理したネガ画像を第一画像とし、ポジ画像を第二画像とし、前記第一位相差層により前記第一画像を、第二位相差層により第二画像を熱転写できるように構成したことを特徴とする転写箔。
【請求項２】
請求項１に記載の転写箔において、
前記第一位相差層と第二位相差層との光軸が互いに４５°異なっていることを特徴とする転写箔。
【請求項３】
請求項１に記載の転写箔において、
前記第一位相差層と第二位相差層との光軸が互いに９０°異なっていることを特徴とする転写箔。
【請求項４】
請求項１ないし請求項３の何れか一項に記載の転写箔において、
前記位相差層の位相差値は、１／４λ、１／２λ、１／８λの何れかの値とすることを特徴とする転写箔。
【請求項５】
請求項１ないし請求項４の何れか一項に記載の転写箔において、
前記第一位相差層及び前記第二位相差層と前記接着層との間に反射層を設けたことを特徴とする転写箔。
【請求項６】
請求項１ないし請求項５の何れか一項に記載の転写箔において、
前記第一位相差層及び前記第二位相差層の上面にレリーフ形成層を形成し、この形成されたレリーフ形成層に沿って前記反射層を設けたことを特徴とする転写箔。
【請求項７】
請求項１ないし請求項６の何れか一項に記載の転写箔において、
前記支持基材と前記第一位相差層及び前記第二位相差層との間に剥離層を設けたことを特徴とする転写箔。
【請求項８】
前記請求項２ないし請求項７の何れか一項に記載された構成の転写箔を用いて、個人認証用元データを２値化処理したネガ画像を第一画像、ポジ画像を第二画像とし、熱転写によって前記第一位相差層により当該第一画像を形成し、前記第ニ位相差層により当該第ニ画像を形成してなる転写箔転写部を備えることを特徴とする偽造防止媒体。
【発明の詳細な説明】
【技術分野】
【０００１】
本発明は、パスポートや査証などの冊子またはカード等の個人認証媒体に特定の要となる顔画像，指紋，識別番号等を転写する転写箔及び前記個人認証媒体に当該顔画像，指紋，識別番号等を転写させてなる偽造防止効果の高い偽造防止媒体に関する。
【背景技術】
【０００２】
パスポートやＩＤ（ｉｄｅｎｔｉｆｉｃａｔｉｏｎ）カードなどの個人認証媒体の多くは、目視による情報認証を可能とするために、顔画像が使用されている。
【０００３】
従来、例えば、パスポートの例では、パスポート本体部となる冊子体に顔画像を焼き付けた印画紙が貼り付けられている。しかし、このようなパスポートは、写真印画の貼り替えによる改竄の恐れがある。
【０００４】
そこで、近年、上記理由に基づき、顔画像の情報をデジタル化し、これを冊子体上に再現することが行われている。この画像再現方法としては、昇華性（熱移行性）染料、顔料を分散させた樹脂型溶融タイプやワックス溶融タイプを用いた転写リボンによる感熱転写記録法あるいは電子写真法などが検討され、実際に試みられている。
【０００５】
さらに、パスポートへの画像再現方法としては、以上のような方法以外にも、インクジェットプリンタによる記録法、ＣＯ２（炭酸ガス）レーザー、ＹＡＧレーザー及び感熱発色剤を使用したレーザー印字記録法、さらには基材中に存在する炭素（Ｃ）を利用して基材の深さ方向にも印字記録するレーザーエングレービング印字記録法などがある。
【０００６】
さらに、この種の認証用データの入った画像表示体としては、認証画像データに基づいて形成された画像パターンをポリ塩化ビニルなどのカード基材に施したもの、あるいは当該画像パターンに加えてホログラムや回折格子あるいは多層干渉を用いた光学的薄膜（光学設計により光干渉を利用して反射光の色調制御などを可能とするカラーシフト等の効果が得られる）を用いることによる画像に代表される，いわゆるＯＶＤ（Ｏｐｔｉｃａｌ  Ｖａｒｉａｂｌｅ  Ｄｅｖｉｓｅ）画像を設けたもの等が知られている。
【０００７】
特に、ホログラムや回折格子構造物は、クレジットカード、キャッシュカード、会員証カード、社員証カード、プリペイドカード、運転免許証等の各種カード類、商品券、ギフト券、株券等の各種紙券類や申込用紙、領収書、複写伝票等の各種帳票類やパスポート、通帳、年金手帳等の各種冊子類の他、本や手帳などの表紙やパネル等のディスプレイ用途等の一部または全体に貼着することにより、偽造防止手段として使用されている。
【０００８】
ところで、このようなＯＶＤ転写箔による任意の画像を形成した偽造防止媒体は、目視で認識できることから、偽造され易い問題がある。
【０００９】
そこで、近年、目視では確認できないが、フィルターを翳したときに潜像（隠れた像）として現れるようにして真贋判定を行うコバート機能をもった高分子液晶材料を用いた偽造防止技術が提案されている（特許文献１）。
【００１０】
コバート機能をもつ任意の画像を形成する方法としては、液晶化合物を含有するインク組成物をインクジェット法によって配向層上にパターニングすることで、任意の複屈折パターンを形成した偽造防止媒体が提案されている（特許文献２）。
【先行技術文献】
【特許文献】
【００１１】
【特許文献１】特開平８−４３８０４号公報
【特許文献２】特開２０１０−２８２１５３号公報
【発明の概要】
【発明が解決しようとする課題】
【００１２】
しかし、特許文献２の偽造防止技術は、複屈折パターンの光軸が１軸方向にのみ配向しているので、得られる潜像画像は１種類のみの単純な画像として現れるだけとなる。その結果、例えば画像が単純であると、比較的容易に偽造されてしまう問題がある。
【００１３】
本発明は上記事情に鑑みてなされたものであって、任意かつ２種の潜像画像を得られるようにし、よって、偽造及び改竄を困難にし、より高い偽造防止効果が得られる転写箔及び偽造防止媒体を提供することを目的とする。
【課題を解決するための手段】
【００１４】
上記課題を解決するために、請求項１に対応する発明は、薄膜平板状の支持基材と、この支持基材の何れか一方の同一面内で、かつ所定方向に沿って交互に配列された光軸の異なる第一位相差層及び第二位相差層と、これら第一位相差層及び第二位相差層の上面に形成された接着層とを備え、個人認証用元データの２値化処理したネガ画像を第一画像とし、ポジ画像を第二画像とし、前記第一位相差層により前記第一画像を、第二位相差層により第二画像を熱転写できるように構成したことを特徴とする転写箔である。
【００１５】
この請求項１に対応する発明によれば、支持基材上に光軸の異なる第一位相差層及び第二位相差層を形成し、前記第一位相差層により個人認証用元データの２値化処理したネガ画像（第一画像）を、第二位相差層によりポジ画像（第ニ画像）を熱転写可能にしたので、複屈折パターンの光軸が２軸方向に配向可能となり、結果として２種の潜像画像が、フィルターを翳して透かすことで認証することが可能となり、ひいては偽造及び改竄が困難なものとなる。
【００１６】
請求項２ないし請求項４に対応する発明は、請求項１に対応する発明の構成要素となる前記第一位相差層及び第二位相差層の光軸としては、互いに４５°または９０異なることを特徴とし、さらに、前記両位相差層の位相差値としては、１／４λ、１／２λ、１／８λの何れかの値とすることを特徴とする。
【００１７】
また、請求項５に対応する発明は、請求項１ないし請求項４の何れか一項に対応する発明に記載の転写箔において、前記前記第一位相差層及び前記第二位相差層と前記接着層との間に反射層を設けたことを特徴とする。
【００１８】
請求項６に対応する発明は、請求項１ないし請求項５の何れか一項に記載の転写箔において、前記第一位相差層及び前記第二位相差層の上面にレリーフ形成層を形成し、この形成されたレリーフ形成層に沿って前記反射層を設けたことを特徴とする。これにより、レリーフ形成層を組合せることにより、目視による偽造防止効果を向上させることができる。
【００１９】
また、請求項７に対応する発明は、請求項１ないし請求項６の何れか一項に記載の転写箔において、前記支持基材と前記第一位相差層及び前記第二位相差層との間に剥離層を設けたことを特徴とする。
【００２０】
さらに、請求項８に対応する発明は、前記請求項１ないし請求項７の何れか一項に対応する発明に記載された構成の転写箔を用いて、個人認証用元データを２値化処理したネガ画像を第一画像、ポジ画像を第二画像とし、熱転写によって前記第一位相差層により当該第一画像を形成し、前記第ニ位相差層により当該第ニ画像を形成してなる転写箔転写部を備えることを特徴とする偽造防止媒体である。
【００２１】
この請求項８に対応する発明によれば、２種の潜像画像をフイルターにて透かすことで認証することが可能となり、これにより情報認証を識別しやすくなる一方、偽造及び改竄が困難であり、ひいては偽造及び改竄を容易に見つけ出すことができる。
【発明の効果】
【００２２】
本発明によれば、任意かつ２種の潜像画像を得られるようにし、よって、偽造及び改竄を困難にし、より高い偽造防止効果が得られる転写箔及び偽造防止媒体を提供できる。
【図面の簡単な説明】
【００２３】
【図１】本発明に係る転写箔の一実施の形態を示す概念図。
【図２】図１に示す転写箔の断面図。
【図３】転写箔を個人認証媒体に使用する際の一例としての顔写真を撮影するときのイメージ図。
【図４】撮影された顔画像を２値化したときのネガ画像である第一画像及びポジ画像である第二画像を示す図。
【図５】本発明に係る偽造防止媒体の一例を示す図。
【図６】図５の転写箔転写部に検証器を翳したときの概念図。
【図７】図５の転写箔転写部に検証器を翳したときの概念図。
【図８】本発明に係る偽造防止媒体への画像転写の一例を概略的に示す断面図。
【図９】本発明に係る偽造防止媒体の一例を概略的に示す断面図。
【発明を実施するための形態】
【００２４】
以下、本発明の実施の形態について、図面を参照して詳細に説明する。
【００２５】
図１は本発明に係る転写箔の一実施の形態を示す概念図である。
【００２６】
転写箔１は、当該転写箔１の搬送方向に沿って第一位相差層２と第二位相差層３とが交互に配置される。これら第一位相差層２と第二位相差層３の光軸が矢印で示すように４５°異なっていることを示している。
【００２７】
図２は図１の転写箔１の断面図である。転写箔１は、所望の幅を有する平板状の支持基材４と、この支持基材４上に交互に配置される第一位相差層２及び第二位相差層３と、これら第一位相差層２及び第二位相差層３の上面に所定の順序で形成される反射層５及び接着層６とを含む構成である。
【００２８】
次に、転写箔１に関わる構成要素に詳細に説明する。
【００２９】
（位相差層２，３）
転写箔１を構成する第一位相差層２及び第二位相差層３は、複屈折性を有する材料が使用される。ここで、複屈折とは、物質の屈折率が光軸方向によって異なることにより、物質中を通過するときの光の速度が異なってくる現象である。そのため、物質通過後の光は通過速度の差の分だけ位相差が生じる。これら位相差層２，３には、例えば、液晶材料を用いることができる。
【００３０】
また、第一位相差層２及び第二位相差層３は、図１に矢印で示すように、２種類の光軸が転写箔１搬送方向に対して交互に配置されている。位相差層２、３の光軸を２軸に配置する方法としては、液晶材料を配向する配向膜を２軸方向に配向処理し、その上に液晶を塗布することにより２軸に配向された液晶を得る。液晶材料を配向する配向膜の配向処理には、例えば光配向法もしくはラビング配向法を用いることができる。位相差値は液晶の複屈折率と膜厚で決定することができる。
【００３１】
ここで、光配向法とは、配向膜に偏光等の異方性を有する光を照射もしくは非偏光光を斜めから照射し、配向膜内の分子の再配列や異方的な化学反応を誘起する方法で、配向膜に異方性を与えることで液晶分子が配向することを利用したものである。光配向のメカニズムとしては、アゾベンゼン誘導体の光異方化、桂皮酸エステル、クマリン、カルコンやベンゾフェノン等の誘導体の光二量化や架橋、ポリイミド等の光分解等があげられる。
【００３２】
具体的な配向法は、適当な波長帯域の偏光光もしくは斜めからの非偏光光によりパターンを露光することにより行われる。例えば、２軸方向に配向させる場合、フォトマスクで配向方向を変えたい部分をカバーしてパターン露光し、さらにフォトマスクでカバーされている未露光部を処理するため方向を変えて露光すればよい。または、一度全面をパターン露光した後、部分的にフォトマスクでカバーして方向を変えて再度露光してもよい。
【００３３】
一方、ラビング配向法は、基材上にポリマー溶液を塗布して作成した配向膜を布で擦る方法であって、擦った方向に配向膜表面の性質が変化し、この方向に液晶分子が並ぶという性質を利用したものである。配向膜には、ポリイミド、ＰＶＡ（ポリビニルアルコール）等が用いられる。
【００３４】
光軸を２軸方向に配向させる場合には、配向方向を変えたい部分をマスクでカバーして布で擦った後にマスクを除去し、今度は先ほどラビングした部分をマスクでカバーし、再び方向を変えて布で擦った後、マスクを除去する。または、全面を布で擦った後、部分的にマスクでカバーし、方向を変えて布で擦った後、マスクを除去してもよい。
【００３５】
これら配向膜を形成する方法としては、グラビアコーティング法、マイクログラビアコーティング法等の公知の手法を用いることができる。
【００３６】
さらに、以上のように配向処理された配向膜上に液晶材料を施すことで位相差層２，３を形成することができる。液晶材料としては、メソゲン基の両端にアクリレートを設けた光硬化型液晶モノマー、ＥＢ（電子線の略）若しくはＵＶ（紫外線の略）で硬化させる高分子液晶、ポリマー主鎖にメソゲン基を提げた高分子液晶、分子主鎖自体が配向する液晶性高分子などを用いることができる。これらの液晶は、塗布後、相転移を起こすＮＩ点より少し下の温度で熱処理することにより、配向を促進させることが可能である。
【００３７】
(支持基材４)
支持基材４としては、押出加工やキャスト加工により作製された無延伸フィルムや延伸加工により作製された延伸フィルム等を用いることができる。延伸フィルムには、伸ばし方により、１軸延伸フィルム及び２軸延伸フィルムがあるが、両者とも使用することが可能である。
【００３８】
これらの無延伸フィルム及び延伸フィルムの材料としては、セロハン、ポリカーボネート（ＰＣ）、ポリエチレン（ＰＥ）、ポリプロピレン（ＰＰ）、ポリオレフィン（ＰＯ）、エチレンビニルアルコール（ＥＶＯＨ）、ポリビニルアルコール（ＰＶＡ）、ポリ塩化ビニル、ポリエチレンナフタレート（ＰＥＮ）、ポリエチレンテレフタレート（ＰＥＴ）、ナイロン、アクリル樹脂、トリアセチルセルロース（ＴＡＣ）フィルム等が挙げられる。
【００３９】
(反射層５)
反射層５の材料としては、Ａｌ、Ｓｎ、Ｃｒ、Ｎｉ、Ｃｕ、Ａｕ、Ａｇなどの金属材料の単体、またはこれらの化合物などが用いられる。
【００４０】
また、反射層５の膜面に垂直な光に対してほぼ透明であるが、斜光に対して屈折率に応じて反射特性を示す透明な反射層５も単層または多層で使用できる。透明な反射層５として使用できる材料の例を以下に挙げる。以下に示す化学式または化合物名の後に続くカッコ内の数値は屈折率ｎを示す。セラミックスとしては、Ｆｅ2Ｏ3（２．７）、ＴｉＯ2（２．６）、ＣｄＳ（２．６）、ＣｅＯ2（２．３）、ＺｎＳ（２．３）、ＰｂＣｌ2（２．３）、ＣｄＯ（２．２）、ＷＯ3（５）、ＳｉＯ（５）、Ｓｉ2Ｏ3（２．５）、Ｉｎ2Ｏ3（２．０）、ＰｂＯ（２．６）、Ｔａ2Ｏ3（２．４）、ＺｎＯ（２．１）、ＺｒＯ2（５）、ＭｇＯ（１）、ＳｉＯ2（１．４５）、ＭｇＦ2（４）、ＣｅＦ3（１）、ＣａＦ2（１．３〜１．４）、ＡｌＦ3（１）、Ａｌ2Ｏ3（１）、ＧａＯ（２）などが挙げられる。有機ポリマーとしては、ポリエチレン（１．５１）、ポリプロピレン（１．４９）、ポリテトラフルオロエチレン（１．３５）、ポリメチルメタクリレート（１．４９）、ポリスチレン（１．６０）などが挙げられるが、これらの材料に限定されるものでない。
【００４１】
反射層５を形成する方法としては、例えば、真空蒸着法、スパッタリング法、ＣＶＤ法など公知の方法を適宜使用することができる。また、光反射効果を有するインキ等を公知の印刷方法により設ける方法でもよい。
【００４２】
また、反射層５を施す前に第一位相差層２及び第二位相差層３の上面にレリーフ形成層（図示せず）を施した後、レリーフ形成層に沿って反射層５を形成してもよい。レリーフ形成層に沿って反射層５を形成する方法としては、予めレリーフ形成層を施した後、光の干渉を利用したレリーフ型ホログラム又は回折格子を成す微細な凹凸パターンからなるレリーフ型のプレス版を用いて加熱・加圧して微細な凹凸パターンを複製した後、前記真空蒸着法等の公知の方法を用いて反射層５を形成することにより、レリーフ構造に沿って反射層５を設けることができる。
【００４３】
レリーフ形成層は熱による成形性が良好であり、プレスムラが生じ難く、明るい再生像が得られる材料によって構成するとよい。例えば、アクリル系樹脂、エポキシ系樹脂、セルロース系樹脂、ビニル系樹脂等の熱可塑性樹脂や、反応性水酸基を有するアクリルポリオールやポリエステルポリオール等にポリイソシアネートを架橋剤として添加、架橋したウレタン樹脂や、メラミン系樹脂、フェノール系樹脂等の熱硬化樹脂、エポキシ（メタ）アクリル、ウレタン（メタ）アクリレート等の紫外線或いは電子線硬化樹脂を、単独もしくはこれらを複合して使用できる。また、前記以外の樹脂であっても、回折構造パターンを形成可能であれば適宜使用することができる。
【００４４】
(接着層６)
接着層６としては、熱をかけたときに粘着性が現れる感熱接着剤が用いられる。接着層６は、これら性能を満たす樹脂をグラビアコータ、マイクログラビアコータ、ロールコータなどを用いて基材となる例えば反射層５に施される。用いられる材質としては、アクリル樹脂、塩化ビニル酢酸ビニル共重合体、エポキシ、ＥＶＡなどの熱可塑性樹脂を用いることができる。
【００４５】
（剥離層）
図２に示す転写箔１は、支持基材４の上面に第一位相差層２及び第二位相差層３に交互に配置したが、例えば支持基材４の上面に剥離層（図示せず）を施した後、その剥離層の上面に第一位相差層２及び第二位相差層３に交互に配置する構成であってもよい。
【００４６】
このとき、剥離層としては、樹脂単体でもよく、樹脂に滑剤を添加したものも使用できる。樹脂としては、熱可塑性樹脂、熱硬化性樹脂、湿気硬化性樹脂、紫外線硬化性樹脂、電子線硬化性樹脂等が使用できる。例えば、アクリル樹脂やポリエステル樹脂、ポリアミドイミド樹脂である。また、滑剤としてはポリエチレンパウダーや、カルナバロウ等のワックスを使用することができる。これらは剥離層として、支持基材１上にグラビア印刷法やマイクログラビア法等、公知の塗布方法によって形成される。
【００４７】
次に、図３は以上のような転写箔１を個人認証媒体に使用する際の一例としての顔写真を撮影するイメージ図を示している。７は認証画像となる人物、８は人物７を撮影するための撮像カメラである。
【００４８】
図４は撮像カメラ８で撮影された顔写真を２値化した例を示す図である。同図（ａ）は２値化した際のネガ画像を示し、同図（ｂ）は２値化した際のポジ画像を示している。これらネガ画像及びポジ画像は、サーマルヘッドによる熱圧を受けて、被転写媒体に第一画像９ａ及び第二画像９ｂとして熱転写される。
【００４９】
ここで、被転写媒体１７（図８，図９参照）としては、透明な基材を用いてもよいし、不透明な基材を用いてもよい。また、材質としては、紙、プラスチック、金属、セラミック、ガラスを使用してもよい。
【００５０】
図５はパスポートの冊子などの偽造防止媒体１０を示す図である。
【００５１】
偽造防止媒体１０は、個人認証媒体を例として上げたものであって、画像１１〜１３のような情報が載せられている。さらに、偽造防止媒体１０には、転写箔転写部１４が設けられている。
【００５２】
偽造防止媒体１０に載せられた画像１１〜１３は、個人情報を含んだ画像である。この個人情報は、個人の認証に利用する個人認証情報を含んでおり、例えば、生体情報と非生体個人情報とに分類することができる。
【００５３】
生体情報は、生体の特徴のうち、その個体に特有なものである。例えば、生体情報は、顔、指紋、静脈などの少なくとも１つの画像又はパターンである。
【００５４】
非生体個人情報は、生体情報以外の個人情報である。例えば、非生体個人情報は、氏名、生年月日、年齢、血液型、性別、国籍、住所、本籍地、電話番号、所属及び身分の少なくとも１つである。非生体個人情報は、タイプ打ちによって入力された文字を含んでいてもよく、署名などの手書きを機械読み取りすることによって入力された文字を含んでいてもよく、それらの双方を含んでいてもよい。
【００５５】
これら画像は、例えば、染料及び顔料で構成することができる。この場合、サーマルヘッドを用いた熱転写記録法、インクジェット記録法、電子写真法、又はそれらの２つ以上の組み合わせを利用することができる。或いは、感熱発色剤を含んだ層を形成し、この層にレーザビームで描画することにより形成することができる。或いは、これら方法の組み合わせを利用することができる。画像の少なくとも一部は、ホットスタンプを用いた熱転写記録法によって形成してもよく、印刷法によって形成してもよく、それらの組み合わせを利用して形成してもよい。
【００５６】
また、画像１１〜１３にはホログラムを用いて画像を表現しても良い。改竄防止効果を高めるホログラムに使用する画像としては、個人情報でも良いがそれに限らない。
【００５７】
転写箔転写部１４には、主に画像が含まれるが、前述のような個人情報を用いてもよい。
【００５８】
図５の例では、顔写真を用いたがこれに限らず、個人を認証することの出来る個人認証情報を用いてもよい。それらの情報をネガ画像、ポジ画像の２つにデータ化し、第一位相差層２及び第二位相差層３の転写パターンとして用いる。
【００５９】
図６及び図７は、図５に示す偽造防止媒体１０の転写箔転写部１４に検証器１５を翳したときの図である。既に第１位相差層２を用いて第１画像９ａ、第２位相差層３を用いて第二画像９ｂが得られており、さらに、それぞれの位相差層２，３の光軸が４５°異なることから、検証器１５を翳し、さらに回転させたとき、図６に示すネガ画像と図７に示すポジ画像が出現させることができる。
【００６０】
ここで、位相差値としては、例えば、検証器１５に直線偏光子を用い、転写箔１には反射層５を組み込んだ場合には１／４λであるとよく、さらに、被転写媒体１７に透明基材を使用し、被転写媒体１７の裏面に直線偏光子を配置し、かつ、検証器１５に直線偏光子を用いた場合には、１／２λが効果的である。また、例えば、被転写媒体１７の裏面に円偏光子を配置し、かつ、検証器１５に円偏光子を用いた場合には、１／８λが効果的であるが、いずれの場合においても、１／４λ、１／２λ、１／８のどの位相差値にしてもよい。
【００６１】
図８は転写箔１が支持基材４越しにサーマルヘッド１６で熱転写されている様子を示す図である。
【００６２】
サーマルヘッド１６によって熱せられた部分は、図９に示すように転写箔転写部１４として被転写媒体１７に転写される。この転写箔転写部１４は、第一画像９ａを形成している第１位相差層２と第二画像９ｂを形成している第２位相差層３によって構成されている。
【００６３】
さらに、転写箔１から被転写媒体１７への転写について詳細に説明する。
【００６４】
前述するように転写箔１をサーマルヘッド１６の熱圧にて被転写媒体１７へ転写を行う。この際に、支持基材４越しにサーマルヘッド１６にて熱圧をかけて接着層６を溶融し、被転写媒体１７へ圧接させる。この際、入力された画像データに基づき２値化処理された画像パターンとなる第一画像９ａ及び第二画像９ｂをデータ化する。このデータ化されたデータに基づき、第一位相差層２を第一画像９ａとして、第二位相差層３を第二画像９ｂとしてサーマルヘッド１６を用いて転写する。第一画像９ａと第二画像９ｂにて1つの画像を形成して、転写箔転写部１４が作製される。
【００６５】
ここで、本発明の偽造防止媒体１０は、個人認証媒体のようなパスポートの場合には、転写箔転写部１４としては、顔写真や氏名、国籍、有効期限などのテキストデータなどを含み、通常の色材で表現される画像である。例えば、図３のように撮影された画像を２値化処理し、図４のようなネガ画像、ポジ画像を得て、第一画像９ａと第二画像９ｂを第一位相差層２と第二位相差層３にて形成させているために、図６、図７のような画像を観測できる。
【００６６】
以下、本発明の実施例について説明する。
【実施例１】
【００６７】
ルミラー（ポリエステルフィルム）１９F６０なる支持基材４に対して、配向膜用樹脂を溶解した配向膜溶液をマイクログラビア法で塗布して成膜を行った。その後、薄膜平板状の支持基材４の表面全幅となる原反全幅にて流れ方向（搬送方向）に対して９０°傾いた方向にラビング布で擦り、次に原反全幅にて流れ方向に対して４５°傾いた方向にラビング布で擦った。すなわち、流れ方向に対して、９０°方向、４５°方向、９０°方向、４５°方向と交互に擦って配向処理することにより配向膜を作製した。
【００６８】
その後、ＤＩＣ株式会社製のＵＶキュアラブル液晶ＵＣＬ−００８をマイクログラビアにて位相差値がλ/４となる膜厚で塗工し、酸素雰囲気下でＵＶ硬化を行った。その結果、流れ方向に対して９０°傾いた方向に擦った部分が第一位相差層２、流れ方向に対して４５°傾いた方向に擦った部分が第二位相差層３として得られた。
【００６９】
しかる後、位相差層２，３の上面に、アルミニウムからなる反射層５を形成した。反射層５は、真空蒸着法を用いて、厚みが５００Åになるようにして形成した。その後、アクリル樹脂を接着層６としマイクログラビアにて全面に設け、転写箔１を製作した。
【００７０】
さらに、図３のように人物７に対して写真撮影を行い、即時に２値化処理を行って図４のようなネガ画像とポジ画像を取得した。その後、上記のように作製された転写箔１を図８のようにサーマルヘッド１６を用いて、第一位相差層２を第一画像９ａとして、第二位相差層３を第二画像９ｂとして転写を行った。その結果、図５に示すように一部に転写箔転写部１４を備えた偽造防止媒体１４が得られた。
【００７１】
その後、検証器１５を用いて、転写箔転写部１４を観察した結果、目視では確認できないが、図６、図７のような潜像を確認することが出来た。すなわち、第一画像９ａ及び第二画像９ｂの２値化処理されたデータがサーマルヘッドを用いて偽造防止媒体１４に転写を行うため、人物の顔、識別番号などの自由度の高い潜像を形成することが出来た。
【００７２】
その他、本発明は、上記実施の形態に限定されるものでなく、その要旨を逸脱しない範囲で種々変形して実施できる。
【００７３】
さらに、上記実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【符号の説明】
【００７４】
１…転写箔、２…第一位相差層、３…第二位相差層、４…支持基材、５…反射層、６…接着層、７…人物、８…撮像カメラ、９ａ…第一画像、９ｂ…第二画像、１０…偽造防止媒体、１１〜１３…画像、１４…転写箔転写部、１５…検証器、１６…サーマルヘッド、１７…被転写媒体。
【図１】
2014063039.tif 000003
【図２】
2014063039.tif 000004
【図３】
2014063039.tif 000005
【図４】
2014063039.tif 000006
【図５】
2014063039.tif 000007
【図６】
2014063039.tif 000008
【図７】
2014063039.tif 000009
【図８】
2014063039.tif 000010
【図９】
2014063039.tif 000011